(57)【要約】【課題】スライダに無理な回転力が作用することによる多方向スイッチとしての機能障害を防止することと、スイッチ操作性の向上、スイッチ設置パネル面のシンプル化を図るのに好適な複合スイッチを提供する。【解決手段】操作部１４に対して横方向からの押し込み力が作用したときは、スライダ８が中立の定位置から操作部の押し込み方向にスライドし、そのスライド方向に応じた接触状態が得られ、また操作部１４に対しその軸心回りに回転させるトルクが作用したときは、そのトルクがスライダ８等を介して外ベース２に伝わり、これにより外ベース２、スライダ８、操作部１４が一緒に中立の定位置から操作部１４の回転方向に回転移動し、その回転方向に応じた接触状態が得られるものとする。【選択図】図４
2007035378.tif 000002
【特許請求の範囲】
【請求項１】
一つの操作部を横方向に押し込む、若しくはその軸心回りに回転させる操作で、その押し込み方向にスライドするスライド方向に応じた接触状態が得られる多方向スイッチとして機能するとともに、前記回転の方向に応じた接触状態が得られる回転シャトルスイッチとして機能することを特徴とする複合スイッチ。
【請求項２】
前記複合スイッチは、
カップ型の内ベースと外ベースとを内外２重に回転可能に配置した多重ベースと、
前記外ベースの底部上面にスライド可能に設けられ、かつ、前記操作部を外周に一体に装着してなるスライダと、
前記スライダと前記外ベースとの間に設けられ、かつ、前記スライダを前記外ベースの底部上面で多方向へスライド可能にガイドするガイド手段と、
前記スライダを中立の定位置に常時付勢する第１の付勢手段と、
前記外ベースを中立の定位置に常時付勢する第２の付勢手段と、
前記外ベースの底部上面に一体に設けられた外ベース固定接点パターンと、
前記外ベース固定接点パターンと対向するように前記スライダの下面に一体に取り付けられたスライドブラシと、
前記内ベースの底部外面と対向するように前記外ベースに一体に設けられたロータリーブラシと、
前記ロータリーブラシと対向するように前記内ベースの底部上面に一体に設けられた内ベース固定接点パターンと、
を備え、
前記操作部に対して横方向からの押し込み力が作用したときは、前記第１の付勢手段の付勢力に逆らって、前記スライダが前記中立の定位置から操作部の押し込み方向にスライドし、このとき、前記スライドブラシと前記外ベース固定接点パターンとが前記スライド方向に応じた接触状態となり、
前記操作部に対してその軸心回りに回転させるトルクが作用したとき、そのトルクが前記スライダと前記ガイド手段を介して前記外ベースに伝わり、これにより前記第２の付勢手段の付勢力に逆らって、前記外ベース、前記スライダ、前記操作部が一緒に中立の定位置から前記操作部の回転方向に回転移動し、このとき、前記ロータリーブラシと前記内ベース固定接点パターンとが前記回転方向に応じた接触状態となること
を特徴とする請求項１に記載の複合スイッチ。
【請求項３】
前記複合スイッチは、
カップ型の内ベースと外ベースとを内外２重に回転可能に配置した多重ベースと、
前記外ベースの底部上面にスライド可能に設けられ、かつ、前記操作部を外周に一体に装着してなるスライダと、
前記スライダと前記外ベースとの間に設けられ、かつ、前記スライダを前記外ベースの底部上面で多方向へスライド可能にガイドするガイド手段と、
前記スライダを中立の定位置に常時付勢する第１の付勢手段と、
前記外ベースを中立の定位置に常時付勢する第２の付勢手段と、
前記外ベースの底部上面に一体に設けられた外ベース固定接点パターンと、
前記外ベース固定接点パターンと対向するように前記スライダの下面に一体に取り付けられたスライドブラシと、
前記内ベースの底部外面と対向するように前記外ベースに一体に設けられたロータリーブラシと、
前記ロータリーブラシと対向するように前記内ベースの底部上面に一体に設けられた内ベース固定接点パターンと、
を備え、
前記外ベース固定接点パターンは、
前記外ベース底部上面の四方に分散して配置された多方向スイッチ用の外ベース固定コモン接点および複数の外ベース固定接点を有し、
前記スライドブラシは、
前記多方向スイッチ用のスライド接点として、前記外ベース固定コモン接点に対応して設けられたスライドコモン接点および前記複数の外ベース固定接点に対応して設けられた複数のスライド接点を有し、
前記ロータリーブラシは、
前記多方向スイッチ用のロータリー接点として、前記外ベース固定コモン接点および前記複数の外ベース固定接点にそれぞれ導通する複数のロータリー接点、ならびに、前記回転シャトルスイッチ用のロータリー接点として、ロータリーコモン接点およびこれに導通するロータリー切換接点を有し、これらのロータリー接点を前記外ベースの底部中央を中心とする同芯円上に配置した構造からなり、
前記内ベース固定接点パターンは、
前記多方向スイッチ用のロータリー接点および前記回転シャトルスイッチ用のロータリー接点ごとに、それぞれ対応して、それぞれの接点回転軌跡に沿って形成し配置された複数の内ベース固定接点を有し、
前記操作部に対して横方向からの押し込み力が作用したときは、前記第１の付勢手段の付勢力に逆らって、前記スライダが前記中立の定位置から操作部の押し込み方向にスライドし、このときは、そのスライド方向に応じて、前記複数のスライド接点と複数の外ベース固定接点のうち、少なくともいずれか一組のスライド接点と外ベース固定接点とが接触し、かつ、前記スライドコモン接点と前記外ベース固定コモン接点とが接触した状態となり、
前記操作部に対しその軸心回りに回転させるトルクが作用したときは、そのトルクが前記スライダと前記ガイド手段を介して前記外ベースに伝わり、これにより第２の付勢手段の付勢力に逆らって、前記外ベース、前記スライダ、前記操作部が一緒に前記中立の定位置から前記操作部の回転方向に回転移動し、このときは、その回転方向に応じて、前記ロータリー切換接点がこれに対応する前記内ベース固定接点に接触し、かつ、前記ロータリーコモン接点がこれに対応する前記内ベース固定接点に接触した状態となること
を特徴とする請求項１に記載の複合スイッチ。
【請求項４】
上記操作部は、その外周が多角形状であること
を特徴とする請求項１に記載の複合スイッチ。
【請求項５】
前記複合スイッチは、
更に、前記内外ベースの底部中央、前記スライダおよびスイッチ操作部の中央、前記ガイド手段の中央および前記スライドブラシの中央を上下方向に貫通する穴を具備し、この穴に挿入された固定軸を介して前記外側ベース底部上面の上方に掌載置台が設けられていること
を特徴とする請求項１に記載の複合スイッチ。
【請求項６】
前記第１の付勢手段は、
環状にセットされた密着コイルスプリングの環内に、前記スライダ上面の突起片が配置される構造であること
を特徴とする請求項１に記載の複合スイッチ。
【請求項７】
前記操作部が左右いずれか一方の方向に回転したときに、前記外ベース固定コモン接点に導通している前記ロータリー接点が、これに対応する前記内ベース固定接点から外れて非接触の状態となること
を特徴とする請求項１記載の複合スイッチ。
【発明の詳細な説明】
【技術分野】
【０００１】
本発明は、例えば、カーナビゲーションその他の車両搭載機器を操作するための操作スイッチ等として用いられる複合スイッチに関する。
【背景技術】
【０００２】
カーナビゲーション装置の普及に伴い、カーナビゲーション装置を標準装備した車輌が増えている。カーナビゲーション装置を標準装備とする場合は、カーナビ操作のためのセンターコントロールスイッチがダッシュボード前面に一体に組み込まれる。
【０００３】
この種のセンターコントロールスイッチは、カーナビ操作画面上のカーソルを操作するとき等に使用される８つの独立した８方向ボタンや決定ボタン等、多数のスイッチ操作部を有している。一方、ダッシュボード前面には、カーナビゲーション普及以前より存在する車輌エアコンの操作スイッチ等、各種スイッチの操作部も一体に組み込まれている。このため、カーナビゲーション装置を標準装備とした場合は、ダッシュボード前面に平面的に配置されるスイッチ操作部の数が必然的に多くなり、ダッシュボード前面が煩雑なものとなるとともに、スイッチ操作性が低下する。
【０００４】
かかる問題を解決する手段として、特許文献１に記載の多方向スイッチの導入が考えられる。
【０００５】
同文献の多方向スイッチは、同一面上で多方向にスライド移動可能な１つのスライダを８方向にスライド操作するだけで、前記８つの独立した８方向ボタンと同等のスイッチ操作を行えるものである。このため、同文献の多方向スイッチの導入によりダッシュボード前面に平面的に配置されるスイッチ操作部の数は減る。
【０００６】
しかし、多方向スイッチの構造上、操作上、同文献の多方向スイッチの導入によるスイッチ操作部の数の減少には限界があり、同文献の多方向スイッチでは今後予想されるスイッチ操作部の増加に対して十分に対応することができない可能性がある。多方向スイッチの周囲に他のスイッチ操作部が新規に増設されることが予想される。そうなると、再び、ダッシュボード前面に平面的に配置されるスイッチ操作部の数が増加し、ダッシュボード前面が煩雑なものとなり、スイッチ操作性が低下する等の問題点が発生し得る。
【０００７】
また、同文献の多方向スイッチは、同一面上で１つのスライダを多方向にスライド移動させる構造であるため、当該スライダを回転させるような無理な力がスライダに作用すると、そのスライダやスライドのガイド手段等が破損し、スライダがいずれの方向にもスライドできなくなり、多方向スイッチとしての機能障害が生じる。
【０００８】
この種の多方向スイッチにおいて、たとえば、どの方向へスライドできるかをスイッチ操作者に直感的に観念させる手段として、スライダをスライド移動させるためのスイッチ操作部の外周をスライド移動方向と同数の多角形に形成すると、前記のような不具合の生じる可能性はより一層高くなる。これは、外周多角形のスイッチ操作体を採用すると、スイッチ操作部の外形がボルトの頭部やナットの外形に似てくること等から、本来回転できないスイッチ操作体があたかも回転できるかのような誤解をスイッチ操作者に与え、スイッチ操作体を介して無理にスライダを回転させようとする機会が増えると考えられるからである。
【０００９】
【特許文献１】特開２００３−５９３７４号公報
【発明の開示】
【発明が解決しようとする課題】
【００１０】
本発明は前記問題点を解決するためになされたものであり、その目的は、スライダに無理な回転力が作用することによる多方向スイッチとしての機能障害を防止することと、スイッチ操作性の向上、スイッチ設置パネル面のシンプル化を図るのに好適な複合スイッチを提供することである。
【課題を解決するための手段】
【００１１】
前記目的を達成するために、本発明に係る複合スイッチは、一つの操作部を横方向に押し込む若しくはその軸心回りに回転させる操作で、その押し込み方向にスライドするスライド方向に応じた接触状態が得られる多方向スイッチとして機能するとともに、前記回転の方向に応じた接触状態が得られる回転シャトルスイッチとして機能することを特徴とするものである。
【００１２】
前記本発明に係る複合スイッチは、カップ型の内ベースと外ベースとを内外２重に回転可能に配置した多重ベースと、前記外ベースの底部上面にスライド可能に設けられ、かつ、前記操作部を外周に一体に装着してなるスライダと、前記スライダと前記外ベースとの間に設けられ、かつ、前記スライダを前記外ベースの底部上面で多方向へスライド可能にガイドするガイド手段と、前記スライダを中立の定位置に常時付勢する第１の付勢手段と、前記外ベースを中立の定位置に常時付勢する第２の付勢手段と、前記外ベースの底部上面に一体に設けられた外ベース固定接点パターンと、前記外ベース固定接点パターンと対向するように前記スライダの下面に一体に取り付けられたスライドブラシと、前記内ベースの底部外面と対向するように前記外ベースに一体に設けられたロータリーブラシと、前記ロータリーブラシと対向するように前記内ベースの底部上面に一体に設けられた内ベース固定接点パターンと、を備え、前記操作部に対して横方向からの押し込み力が作用したときは、前記第１の付勢手段の付勢力に逆らって、前記スライダが前記中立の定位置から操作部の押し込み方向にスライドし、このとき、前記スライドブラシと前記外ベース固定接点パターンとが前記スライド方向に応じた接触状態となり、前記操作部に対してその軸心回りに回転させるトルクが作用したとき、そのトルクが前記スライダと前記ガイド手段を介して前記外ベースに伝わり、これにより前記第２の付勢手段の付勢力に逆らって、前記外ベース、前記スライダ、前記操作部が一緒に中立の定位置から前記操作部の回転方向に回転移動し、このとき、前記ロータリーブラシと前記内ベース固定接点パターンとが前記回転方向に応じた接触状態となるものとして構成することができる。
【００１３】
また、前記本発明に係る複合スイッチは、カップ型の内ベースと外ベースとを内外２重に回転可能に配置した多重ベースと、前記外ベースの底部上面にスライド可能に設けられ、かつ、前記操作部を外周に一体に装着してなるスライダと、前記スライダと前記外ベースとの間に設けられ、かつ、前記スライダを前記外ベースの底部上面で多方向へスライド可能にガイドするガイド手段と、前記スライダを中立の定位置に常時付勢する第１の付勢手段と、前記外ベースを中立の定位置に常時付勢する第２の付勢手段と、前記外ベースの底部上面に一体に設けられた外ベース固定接点パターンと、前記外ベース固定接点パターンと対向するように前記スライダの下面に一体に取り付けられたスライドブラシと、前記内ベースの底部外面と対向するように前記外ベースに一体に設けられたロータリーブラシと、前記ロータリーブラシと対向するように前記内ベースの底部上面に一体に設けられた内ベース固定接点パターンと、を備え、前記外ベース固定接点パターンは、前記外ベース底部上面の四方に分散して配置された多方向スイッチ用の外ベース固定コモン接点および複数の外ベース固定接点を有し、前記スライドブラシは、前記多方向スイッチ用のスライド接点として、前記外ベース固定コモン接点に対応して設けられたスライドコモン接点および前記複数の外ベース固定接点に対応して設けられた複数のスライド接点を有し、前記ロータリーブラシは、前記多方向スイッチ用のロータリー接点として、前記外ベース固定コモン接点および前記複数の外ベース固定接点にそれぞれ導通する複数のロータリー接点、ならびに、前記回転シャトルスイッチ用のロータリー接点として、ロータリーコモン接点およびこれに導通するロータリー切換接点を有し、これらのロータリー接点を前記外ベースの底部中央を中心とする同芯円上に配置した構造からなり、前記内ベース固定接点パターンは、前記多方向スイッチ用のロータリー接点および前記回転シャトルスイッチ用のロータリー接点ごとに、それぞれ対応して、それぞれの接点回転軌跡に沿って形成し配置された複数の内ベース固定接点を有し、前記操作部に対して横方向からの押し込み力が作用したときは、前記第１の付勢手段の付勢力に逆らって、前記スライダが前記中立の定位置から操作部の押し込み方向にスライドし、このときは、そのスライド方向に応じて、前記複数のスライド接点と複数の外ベース固定接点のうち、少なくともいずれか一組のスライド接点と外ベース固定接点とが接触し、かつ、前記スライドコモン接点と前記外ベース固定コモン接点とが接触した状態となり、前記操作部に対しその軸心回りに回転させるトルクが作用したときは、そのトルクが前記スライダと前記ガイド手段を介して前記外ベースに伝わり、これにより第２の付勢手段の付勢力に逆らって、前記外ベース、前記スライダ、前記操作部が一緒に前記中立の定位置から前記操作部の回転方向に回転移動し、このときは、その回転方向に応じて、前記ロータリー切換接点がこれに対応する前記内ベース固定接点に接触し、かつ、前記ロータリーコモン接点がこれに対応する前記内ベース固定接点に接触した状態となるものとして構成してもよい。
【００１４】
上記操作部は、その外周が多角形状であるものとしてよい。
【００１５】
前記複合スイッチは、更に、前記内外ベースの底部中央、前記スライダおよびスイッチ操作部の中央、前記ガイド手段の中央および前記スライドブラシの中央を上下方向に貫通する穴を具備し、この穴に挿入された固定軸を介して前記外側ベース底部上面の上方に掌載置台が設けられる構造を採用することができる。
【００１６】
前記第１の付勢手段は、環状にセットされた密着コイルスプリングの環内に、前記スライダ上面の突起片が配置される構造を採用することができる。このような構成を採用した場合には、第１の付勢手段が環状に密着コイルスプリングだから、どの方向にスライダをスライドさせても何時も同様な付勢力が環状の密着コイルスプリングからスライダに作用するから、スライド方向に応じて操作部の押し込み力が異なるという操作上の違和感がなく、スイッチ操作性の向上を図れる。
【００１７】
更に、前記本発明に係る複合スイッチにおいては、前記操作部が左右いずれか一方の方向に回転したときに、前記外ベース固定コモン接点に導通している前記ロータリー接点が、これに対応する前記内ベース固定接点から外れて非接触の状態となる構成を採用することができる。このような構成を採用した場合には、操作部を回転させたときは、必ず外ベース固定コモン接点に導通しているロータリー接点がこれに対応する内ベース固定接点から外れて非接触の状態となり、操作部の回転操作時に多方向スイッチが作動することはないから、もし複合スイッチ操作者が操作部を回転させようとする操作と一緒に誤って操作部を押し込んでしまったとしても、その回転に基づく信号しか出力されず、誤った押し込み動作に基づく信号が出力されることはなく、誤操作に基づく誤信号の出力は防止される。
【発明の効果】
【００１８】
本発明に係る複合スイッチにあっては、一つの操作部を横方向に押し込む、若しくはその軸心回りに回転させる操作で、押し込み方向にスライドするスライダのスライド方向に応じた接触状態が得られる多方向スイッチとして機能するとともに、その回転方向に応じた接触状態が得られる回転シャトルスイッチとしても機能するから、スイッチ設置パネル面、例えば車輌のダッシュボード前面に平面的に配置されるスイッチ操作部の数を減らすことができ、スイッチ操作性の向上と、スイッチ設置パネル面のシンプル化を図るという作用効果を奏する。
【００１９】
また、本発明に係る複合スイッチは、操作部に対しその軸心回りに回転させるトルクが作用したときは、そのトルクがスライダとガイド手段を介して外ベースに伝わり、これにより第２の付勢手段の付勢力に逆らって、外ベース、スライダ、操作部が一緒に中立の定位置から前記操作部の回転方向に回転移動する構造だから、操作部を回転させても、スライダに無理な回転力が作用することはなく、スライダやスライドのガイド手段等の破損による多方向スイッチとしての機能障害を効果的に防止しうるという作用効果も奏する。
【発明を実施するための最良の形態】
【００２０】
以下、本発明を実施するための最良の形態について、添付した図面を参照しながら詳細に説明する。
【００２１】
図１は本発明の一実施形態である複合スイッチの外観図、図２と図３は図１の複合スイッチを構成する操作部の操作方向の説明図、図４は図１のＡ−Ａ線断面図、図５は図１のＢ−Ｂ線断面図、図６は図４または図５のＡ−Ａ線断面図、図７は図４または図５のＢ−Ｂ線断面図、図８は図４または図５のＣ−Ｃ線断面図である。
【００２２】
図１の複合スイッチＳを概略説明すると、この複合スイッチＳは、多方向スイッチに回転シャトルスイッチの機能を複合させたものであって、一つの操作部１４で多方向スイッチと回転シャトルスイッチの両者を操作する構成、すなわち図２のように矢印イ〜チまでの８方向に操作部を操作することができ、かつ、図３のように矢印Ｒ、Ｌの方向に操作部１４を回転することができ、これらの操作方向に応じて信号を出力できるものである。
【００２３】
図１の複合スイッチＳは、図４乃至図８に示した通り、図９の内ベース、図１０の外ベース、図１１のスライダ、図１２の格子状ガイド部品、図１３の操作部、図１４の外ベース固定接点パターンとロータリーブラシ、図１５のスライドブラシ、図１６の内ベース固定接点パターン、図１７のトップケースなどのスイッチ構成部品で構成されている。
【００２４】
図９は、図１の複合スイッチＳを構成するカップ型の内ベース１の説明図、図１０は図１の複合スイッチＳを構成するカップ型の外ベース２の説明図であり、図１の複合スイッチＳは、図４と図５に示したように、この内ベース１と外ベース２とを内外２重に回転可能に配置した多重ベースの構造を採用している。
【００２５】
内ベース１は、カップを下向きにひっくり返したような形態で配置され、その下向きのカップ開口縁１ａには該カップ開口縁に沿って上向きの環状ベース受け溝３が形成されている。さらに、この内ベース１の底部中央には同ベース表裏面を貫通する穴４が形成されている。
【００２６】
外ベース２は、内ベース１と同様に、カップを下向きにひっくり返したような形態で配置され、その下向きのカップ開口縁２ａが外ベース２の前記環状ベース受け溝３に摺動可能に挿入される構造になっている。
【００２７】
外ベース２の底部上面には上向きに２つの横溝５が形成されている。これらの横溝５は互いに平行に設けられるとともに、左右横方向に横長く形成されている（図１０（ａ）参照）。
【００２８】
外ベース２の底部中央にも同ベース表裏面を貫通する穴６が形成されており、また、本実施形態では、その穴６を囲むような筒状ボス部７が外ベース２の底部上面に突出形成される構造を採用している。
【００２９】
図１１は、図１の複合スイッチＳを構成するスライダ８の説明図であり、このスライダ８は、図４および図５に示したように、外ベース２の底部上面にスライド可能に配置される。
【００３０】
また、このスライダ８の下面には一対の縦溝９が形成されており、これら一対の縦溝９は、互いに平行に形成され、かつ、前記外ベース２の横溝５と直角に交差するように配置される。
【００３１】
また、このスライダ８の中央にもそのスライダ表裏面を貫通する穴１０が形成されている。さらに、スライダ８の上面には４つの突起片１１が一体に形成されている。これら４つの突起片１１は、スライダ８中央の穴１０を中心として放射状に９０度間隔で配置されている。
【００３２】
図１２は、図１の複合スイッチＳを構成する格子状ガイド部品１２の説明図である。この格子状ガイド部品１２は、図４および図５に示したように、スライダ８と外ベース２との間に配置されるものであって、縦と横にそれぞれ一対のバー１２−１、１２−２を格子状に一体成形した構造となっている。より具体的には、この格子状ガイド部品１２は、その上段縦方向に一対のバー（以下必要に応じて「一対の縦バー１２−１」という）が位置し、この縦バー１２−１の下段横方向に一対のバー（以下必要に応じて「一対の横バー１２−２」という）が位置する構造になっている。
【００３３】
前記格子状ガイド部品１２は、外ベース２の底部上面にスライド可能に設置される。その設置形態は、格子状ガイド部品１２の一対の横バー１２−２が、それぞれ対応する外ベース２底部上面の前記一対の横溝５にスライド可能に挿入される形態である。尚、格子状ガイド部品１２は樹脂等で一体成型される。その成型時に、本実施形態では、縦バー１２−１と横バー１２−２のそれぞれに補強のための金属芯１３を埋設するものとした。
【００３４】
本実施形態では、上記のような格子状ガイド部品１２、一対の横溝５、一対の縦溝９によりガイド手段が構成され、このガイド手段により、当該スライダ８は外ベース２の底部上面で多方向へスライド可能にガイドされる。
【００３５】
すなわち、スライダ８に対し矢印イ、ロで示す縦方向の力が作用すると、このスライダ８は、その下面の縦溝９と格子状ガイド部品１２の縦バー１２−１とでガイドされながら、その力の方向にスライドする。このときは、スライダ８だけが独立して格子状ガイド部品１２の縦バー１２−１上を縦方向へスライドする。これは、スライダ８が縦方向にスライドするときは、格子状ガイド部品１２の横バー１２−２が外ベース２底部上面の横溝５に対して直角に移動しようとするため、その横溝５と横バー１２−２がストッパとなって格子状ガイド部品１２全体の縦方向移動が抑制されるから、上記のようにスライダ８は縦方向へスライドするというものである。
【００３６】
この一方、スライダ８に対し矢印ハ、ニで示す横方向の力が作用すると、このスライダ８は、その格子状ガイド部品１２と一体に、その力の方向にスライドする。これは、スライダ８が横方向へスライドするときは、そのスライダ８下面の縦溝９が格子状ガイド部品１２の縦バー１２−１に直角に当接するため、上記のようにスライダ８は横方向へスライドするというものである。
【００３７】
また、スライダ８に対し例えば矢印イとハの中間方向のような斜め方向の力が作用すると、このスライダ８は、斜め方向にスライドする。これは、スライダ８に対し斜め方向に作用する力のうち、縦方向の力成分によりスライダ８が上記原理で縦方向へスライドし、これと同時に、横方向の力成分によりスライダ８が前記原理で横方向へスライドし、この横方向と縦方向の両スライド動作が合成されるためである。
【００３８】
図１３は、図１の複合スイッチＳを構成する操作部１４の説明図である。この操作部１４は、リング状に形成され、そのリングの内側が図１のようにスライダ８の外周に嵌め込まれて該スライダに一体に装着されるとともに、そのリングの外周が多角形（図１３の例では８角形）となるように形成されている。
【００３９】
図１４は、図１の複合スイッチＳを構成する外ベース固定接点パターン１５の説明図である。この外ベース固定接点パターン１５は、外ベース２の底部上面に一体に設けられ、かつ、電気的に独立した多方向スイッチ用の固定接点として、１つの外ベース固定コモン接点１５−Ｃと４つの外ベース固定接点１５−１〜１５−４とを有している。これら５つの固定接点１５−Ｃ、１５−１〜１５−４は、互いに電気的に独立し、外ベース２底部上面の四方に分散して配置されている。
【００４０】
図１４上、右下に位置する外ベース固定コモン接点１５−Ｃは、ドーナツ状の金属片からなるとともに、図１０のように、外ベース２底部上面の右下方に配置される。また、上記４つの外ベース固定接点１５−１〜１５−４のうち、図１４上、左下方に位置する２つの固定接点１５−１、１５−２は、上下に並んで配置された一対の扇状金属片からなるとともに、図１０のように、外ベース２底部上面の左下方に配置される。さらに、図１４において、右上方に位置する２つの固定接点１５−３、１５−４は、左右に並んで配置された一対の扇状金属片からなるとともに、図１０のように、外ベース２底部上面の右上方に配置されるものである。尚、図１４上、左上に位置するドーナツ状の金属片はダミーである。
【００４１】
尚、以下必要に応じて、上記４つの外ベース固定接点のうち、左下方に位置する上側の外ベース固定接点１５−１を「上側・外ベース固定接点１５−１」といい、同じく左下方に位置する下側の外ベース固定接点１５−２を「下側・外ベース固定接点１５−２」という。また、右上に位置する右側の外ベース固定接点１５−３を「右側・外ベース固定接点１５−３」といい、同じく右上に位置する左側の外ベース固定接点１５−４を「左側・外ベース固定接点１５−４」という。
【００４２】
図１５は、図１の複合スイッチＳを構成するスライドブラシ１６の説明図である。スライドブラシ１６は、図７のように外ベース２底部上面の外ベース固定接点パターン１５と対向するようにスライダ８の下面に一体に取り付けられて、スライダ８と一緒に同方向にスライドするように構成されている。
【００４３】
このスライドブラシ１６は、多方向スイッチ用のスライド接点として、１つのスライドコモン接点１６−Ｃと３つのスライド接点１６−１〜１６−３を有し、これら４つのスラド接点を金属の支持枠１６−Ｆで連結支持した構造になっている。
【００４４】
上記構造のスライドブラシ１６をスライダ８の下面に一体に装着する構造として、本実施形態においては、スライダ８の下面に４つのピン１７（図１１参照）を設ける一方、このピン１７に対応するピン穴１８をスライドブラシ１６の支持枠１６−Ｆに開設し、前記ピン１７を前記ピン穴１８に挿入固定することで、スライダ８の下面にスライドブラシ１６が一体に装着される構造を採用した。また、この装着構造において、スライドブラシ１６の支持枠１６−Ｆは、その一部がスライダ８下面の縦溝９の底面に形成された枠収容溝１９（図１１参照）内に収容される。
【００４５】
上記のような装着構造で一体化したスライダ８とスライドブラシ１６は、図４および図５に示したように、スライドブラシ１６側を下向きにして格子状ガイド部品１２上に設置される。その設置形態は、格子状ガイド部品１２の一対の縦バー１２−１が、それぞれ対応するスライダ８下面の一対の縦溝９にスライド可能に挿入される形態である。
【００４６】
図１４には図１の複合スイッチＳを構成するロータリーブラシ２０も示されている。ロータリーブラシ２０は、内ベース１の底部外面と対向するように外ベース２に一体に設けられて、外ベース２と一緒に同方向に回転移動するように構成されている。
【００４７】
前記ロータリーブラシ２０は、多方向スイッチ用のロータリー接点として、前記外ベース固定コモン接点１５−Ｃおよび前記複数の外ベース固定接点１５−１〜１５−４にそれぞれ導通する５つのロータリー接点２０−１〜２０−４、２０−Ｃと、回転シャトルスイッチ用のロータリー接点として、ロータリーコモン接点２０−ＲＣと、これに導通するロータリー切換接点２０−Ｆを有している。これら７つのロータリー接点２０−１〜２０−４、２０−Ｃ、２０−ＲＣ、２０−Ｆは、外ベース２の底部中央を中心とする同芯円上に配置されている。
【００４８】
図１６は、図１の複合スイッチＳを構成する内ベース固定接点パターン２１の説明図である。内ベース固定接点パターン２１は、前記ロータリーブラシ２０と対向するように内ベース１の底部上面に一体に設けられる（図６参照）。
【００４９】
前記内ベース固定接点パターン２１は、電気的に独立した固定接点として、金属片からなる８つの内ベース固定接点２１−Ｒ、２１−Ｌ、２１−ＲＣ、２１−Ｃ、２１−１〜２１−４を有している。これら８つの内ベース固定接点は、多方向スイッチ用のロータリー接点（前記５つのロータリー接点２０−Ｃ、２０−１〜２０−４）および回転シャトルスイッチ用のロータリー接点（前記ロータリーコモン接点２０−ＲＣとロータリー切換接点２０−Ｆ）ごとに、それぞれ対応して、それぞれの接点回転軌跡に沿って円弧状に形成し配置されている（図６参照）。
【００５０】
前記８つの内ベース固定接点のうち、最内側で同じ同心円上で近接して隣り合う左右一対の内ベース固定接点２１−Ｒ、２１−Ｌは、前記ロータリー切換接点２０−Ｆに対応して設けたものである。
【００５１】
以下必要に応じて、図上、右側に位置する内ベース固定接点２１−Ｒを「右・内ベース固定接点２１−Ｒ」といい、また、左側の内ベース固定接点２１−Ｌを「左・内ベース固定接点２１−Ｌ」という。
【００５２】
また、前記左右一対の内ベース固定接点２１−Ｌ、２１−Ｒの直ぐ外隣の同心円上に設けられている内ベース固定接点２１−ＲＣは、前記ロータリーコモン接点２０−ＲＣに対応して設けたものであり、さらに、残り５つの内ベース固定接点２１−Ｃ、２１−１〜２１−４は、いずれも多方向スイッチ用のロータリー接点（前記５つのロータリー接点２０−Ｃ、２０−１〜２０−４）にそれぞれ対応して設けたものである。
【００５３】
以下必要に応じて、ロータリーコモン接点２０−ＲＣに対応して設けた内ベース固定接点２１−ＲＣを「回転シャトルスイッチコモン用・内ベース固定接点２１−ＲＣ」といい、また、多方向スイッチ用のロータリー接点２０−Ｃ、２０−１〜２０−４に対応して設けた内ベース固定接点２１−Ｃ、２１−１〜２１−４のうち、特に、外ベース固定コモン接点１５−Ｃに導通しているロータリー接点２０−Ｃに対応して設けた内ベース固定接点２１−Ｃを「多方向スイッチコモン用・内ベース固定接点２１−Ｃ」という。
【００５４】
図１７は、図１に示す複合スイッチＳを構成するトップケース２２の説明図である。トップケース２２は、スライダ８上に配置され、かつ、固定手段を介して外ベース２に一体に取り付け固定される（図１参照）。このトップケース２２の中央にもその表裏面を貫通する穴２３が形成されている。
【００５５】
前記固定手段の具体的な構造として、本実施形態では、トップケース２２の下面に、その中央の穴２３を中心として放射状に４つの係合爪２４を突出形成するとともに、これら４つの係合爪２４を外ベース２の筒状ボス部７（図１０参照）に挿入して同外ベース２の穴６から突出させ、この突出した係合爪２４が前記穴６の周縁に引っ掛かることで、当該トップケース２２が、外ベース２のボス部７上に、ワンタッチで取り付け固定される構造を採用した。
【００５６】
トップケース２２の下面には更に４つのバネ固定突起２５が突出形成されている。これら４つのバネ固定突起２５は、前記４つの係合爪２４の外側に位置し、かつ、トップケース２２中央の穴２３を中心として放射状に９０度間隔で配置されている。そして、本実施形態では、図８に示したように、このような４つのバネ固定突起２５の外周部に密着コイルスプリング２６が輪ゴムのような形態で環状にセットされ、この環状にセットされた密着コイルスプリング２６の環内に、スライダ８上面の前記４つの突起片１１が配置される構造になっている。
【００５７】
図１の複合スイッチＳにおいて、指等で操作部１４を横方向から押し込むような操作が行なわれないときには、当該スライダ８はスライドしない。このとき、そのスライダ８上面の前記４つの突起片１１にはその外側から内側に向かって密着コイルスプリング２６の付勢力がバランスよく均等に作用する。このため、スライダ８は中立の定位置に保持される。この状態から、操作部１４を横方向から押し込む操作が行なわれると、操作部１４を介してスライダ８に横方向の押し込み力が作用し、その押し込み方向へスライダ８がスライドする。このとき、前記４つの突起片１１のうち、スライダ８の前進方向に位置する突起片１１が密着コイルスプリング２６の一部分を内側から外側に向かって押し出すことから、その押し出し部分が元に戻ろうとするときの復元力が密着コイルスプリング２６から当該スライダ８に作用する。このため、前記のような操作部１４を横方向から押し込む操作を止めると、当該スライダ８は前記密着コイルスプリング２６の復元力で押し返されて元の中立の定位置に戻る。以上のように、密着コイルスプリング２６はスライダ８を中立の定位置に常時付勢する手段（第１の付勢手段）として機能するものである。
【００５８】
図４、図５に示したように、外ベース２のカップ縁部外周にはトーションスプリング２７が挿入セットされている。図８に示したように、トーションスプリング２７の外向きに開いている両端２７ａ、２７ａは、内ベース１のバネ係止め部２８−Ｌ、２８−Ｒ（図９参照）に引っ掛かっている。また、外ベース２のカップ縁部外周には、前記トーションスプリング２７の両端を互いに近づける方向に押圧するための左右一対の押圧片２９−Ｌ、２９−Ｒ（図１０参照）が突出形成されている。
【００５９】
図１の複合スイッチＳにおいて、指等で操作部１４をその軸心周りに回転させようとする操作が行なわれないときには、外ベース２は回転せず、中立の定位置に保持される。この状態から、操作部１４を例えば右周り（図１矢印Ｌ方向）に回転させようとする操作が行なわれると、その操作により操作部１４に加えられた右回りのトルクがスライダ８とガイド手段を構成する格子状ガイド部品１２とを介して外ベース２に伝わり、外ベース２がその軸心を中心として右回りに回転移動する。このとき、図８上、左側の押圧片２９−Ｌがトーションスプリング２７の左端２７ａを押圧しながら移動することで、トーションスプリング２７がその中心軸右回りに捩れるから、その捩れが元に戻ろうとするときの復元力がトーションスプリング２７から前記左側の押圧片２９−Ｌを介して外ベース２に作用する。このため、前記のような操作部１４をその軸心回りに回転させようとする操作を止めると、外ベース２は前記トーションスプリング２７の復元力で押し戻されて元の中立の定位置に戻る（シャトル動作）。操作部１４を左回り（図１矢印Ｒ方向）に回転させようとする操作が行なわれた場合も同様な原理で上記のようなシャトル動作が行なわれる。以上のように、トーションスプリング２７は、外ベース２を中立の定位置に常時付勢する手段（第２の付勢手段）として機能するものである。
【００６０】
図１の複合スイッチＳはその中央部に上下方向に貫通穴を有する。この貫通穴は、前述したトップケース２２中央の穴２３、内外両ベース１、２中央の穴４、６、スライダ８中央の穴１０、ガイド手段の中心部である格子状ガイド部品１２の格子内側空間、およびスライドブラシ１６の中心部である支持枠１６−Ｆの枠内側空間から構成されている。そして、本実施形態においては、図４および図５のように、この貫通穴を利用して外ベース２底部上面の上方に掌載置台３０を設ける構成を採用した。掌載置台３０は、前記穴からなる貫通穴に固定軸３１を挿入設置し、その固定軸の先端に一体に取り付けられた構造になっている。この掌載置台３０は、操作者が複合スイッチを操作する際に掌をおいて操作しやすくするために設けたものである。
【００６１】
次に、上記の如く構成された複合スイッチの動作について説明する。
【００６２】
＜多方向スイッチとしての動作＞
図１の複合スイッチにおいて、操作部１４に何も力が作用しないとき、スライダ８は中立の定位置に位置する。このときは、図７のように、４つのスライド接点１６−Ｃ、１６−１〜１６−３は、いずれも、どの固定接点１５−１〜１５−６にも接触しない。具体的には、図７上、右下のスライドコモン接点１６−Ｃは、外ベース固定コモン接点１５−Ｃの中央に設けた絶縁部に位置する。また、右上のスライド接点１６−１は、同じく右上に位置する左右一対の外ベース固定接点１５−３、１５−４間に設けた絶縁部に位置し、左下のスライド接点１６−２は、同じく左下に位置する上下一対の外ベース固定接点１５−１、１５−２間に設けた絶縁部に位置する。
【００６３】
図１の複合スイッチにおいて、指等で操作部１４を横方向から押し込むような操作で当該操作部１４に対して横方向からの押し込み力が作用したときは、密着コイルスプリング２６の付勢力に逆らって、スライダ８が中立の定位置から操作部１４の押し込み方向にスライドする。このとき、複数のスライド接点１６−１〜１６−３と複数の外ベース固定接点１５−１〜１５−４のうち少なくともいずれか一組のスライド接点と外ベース固定接点とが接触し、かつ、スライドコモン接点１６−Ｃと外ベース固定コモン接点１５−Ｃとが接触する。
【００６４】
図１の複合スイッチにおいては、どの方向にスライダ８がスライドしても、スライドコモン接点１６−Ｃは外ベース固定コモン接点１５−Ｃに常時接触する。また、そのスライド時においては、計７つのロータリー接点２０−Ｃ、２０−ＲＣ、２０−Ｆ、２０−１〜２０−４のうち、回転シャトルスイッチ用のロータリー接点を構成するロータリー切換接点２０−Ｆは、いずれの内ベース固定接点にも接触しないが、このロータリー切換接点２０−Ｆ以外の６つのロータリー接点、すなわち回転シャトルスイッチ用のロータリー接点を構成するロータリーコモン接点２０−ＲＣと、多方向スイッチ用のロータリー接点を構成する５つのロータリー接点２０−Ｃ、２０−１〜２０−４は、いずれも、それぞれ対応する内ベース固定接点に常時接触する。
【００６５】
以下、スライダ８のスライド時において、多方向スイッチ用のスライド接点（スライドコモン接点１６−Ｃ、３つのスライド接点１６−１〜１６−３）が多方向スイッチ用の固定接点（外ベース固定コモン接点１５−Ｃ、外ベース固定接点１５−１〜１５−４）にどのように接触するかを、スライド方向別に説明する。
【００６６】
図１のように矢印イ方向に操作部１４が押し込まれ、矢印イ方向にスライダ８がスライドしたときは、図７に示す左下のスライド接点１６−２が、上側・外ベース固定接点１５−１に接触する。このとき、スライドコモン接点１６−Ｃは外ベース固定コモン接点１５−Ｃに接触するから、スライドブラシ１６を介して上側・外ベース固定接点１５−１が外ベース固定コモン接点１５−Ｃに導通する。また、このとき、外ベース固定コモン接点１５−Ｃは、ロータリー接点２０−Ｃを介して、内ベース固定接点２１−Ｃとこれに接続された信号出力端子とに導通し、更に、上側・外ベース固定接点１５−１は、ロータリー接点２０−１を介して、内ベース固定接点２１−１とこれに接続された信号出力端子とに導通しているから、この場合は、矢印イ方向にスライドしたことを示す信号が上側・外ベース固定接点１５−１から前記信号出力端子を通じて外部へ出力される。
【００６７】
図１の矢印イとは逆の矢印ロ方向に操作部１４が押し込まれ、矢印ロ方向にスライダ８がスライドしたときは、図７に示す左下のスライド接点１６−２が下側・外ベース固定接点１５−２に接触する。このとき、スライドコモン接点１６−Ｃは外ベース固定コモン接点１５−Ｃに接触するから、スライドブラシ１６を介して下側・外ベース固定接点１５−２が外ベース固定コモン接点１５−Ｃに導通する。またこのとき、外ベース固定コモン接点１５−Ｃは、ロータリー接点２０−Ｃを介して、内ベース固定接点２１−Ｃとこれに接続された信号出力端子とに導通し、更に、下側・外ベース固定接点１５−２は、ロータリー接点２０−２を介して、内ベース固定接点２１−２とこれに接続された信号出力端子とに導通しているから、この場合は、矢印ロ方向にスライドしたことを示す信号が下側・外ベース固定接点１５−２から前記信号出力端子を通じて外部へ出力される。
【００６８】
図１のように矢印ハ方向に操作部１４が押し込まれ、矢印ハ方向にスライダ８がスライドしたときは、図７に示す右上のスライド接点１６−１が右側・外ベース固定接点１５−３に接触する。このとき、スライドコモン接点１６−Ｃは外ベース固定コモン接点１５−Ｃに接触するから、スライドブラシ１６を介して右側・外ベース固定接点１５−３が外ベース固定コモン接点１５−Ｃに導通する。またこのとき、外ベース固定コモン接点１５−Ｃは、ロータリー接点２０−Ｃを介して、内ベース固定接点２１−Ｃとこれに接続された信号出力端子とに導通し、更に、右側・外ベース固定接点１５−３は、ロータリー接点２０−３を介して、内ベース固定接点２１−３とこれに接続された信号出力端子とに導通しているから、この場合は、矢印ハ方向にスライドしたことを示す信号が右側・外ベース固定接点１５−３から信号出力端子を通じて外部へ出力される。
【００６９】
図１の矢印ハとは逆の矢印ニ方向に操作部１４が押し込まれ、矢印ニ方向にスライダ８がスライドしたときは、図７に示す右上のスライド接点１６−１が左側・外ベース固定接点１５−４に接触する。このとき、スライドコモン接点１６−Ｃは外ベース固定コモン接点１５−Ｃに接触するから、スライドブラシ１６を介して左側・外ベース固定接点１５−４が外ベース固定コモン接点１５−Ｃに導通する。またこのとき、外ベース固定コモン接点１５−Ｃは、ロータリー接点２０−Ｃを介して、内ベース固定接点２１−Ｃとこれに接続された信号出力端子とに導通し、更に、左側・外ベース固定接点１５−４は、ロータリー接点２０−４を介して、内ベース固定接点２１−４とこれに接続された信号出力端子とに導通しているから、この場合は、矢印ニ方向にスライドしたことを示す信号が左側・外ベース固定接点１５−４から信号出力端子を通じて外部へ出力される。
【００７０】
図１のように矢印ホ方向（右斜め上方向）に操作部１４が押し込まれ、矢印ホ方向にスライダ８がスライドしたときは、図７に示す右上のスライド接点１６−１が右側・外ベース固定接点１５−３に接触し、これと同時に、左下のスライド接点１６−２が上側・外ベース固定接点１５−１に接触する。このとき、スライドコモン接点１６−Ｃは外ベース固定コモン接点１５−Ｃに接触するから、スライドブラシ１６を介して右側・外ベース固定接点１５−３および上側・外ベース固定接点１５−１が外ベース固定コモン接点１５−Ｃに導通する。またこのとき、外ベース固定コモン接点１５−Ｃは、ロータリー接点２０−Ｃを介して、内ベース固定接点２１−Ｃとこれに接続された信号出力端子とに導通し、更に、右側・外ベース固定接点１５−３は、ロータリー接点２０−３を介して、内ベース固定接点２１−３とこれに接続された信号出力端子とに導通し、また、上側・外ベース固定接点１５−１も、ロータリー接点２０−１を介して、内ベース固定接点２１−１とこれに接続された信号出力端子とに導通しているから、この場合は、その２つの信号出力端子を通じて外部へ同時出力される２つの信号によって、矢印ホ方向（右斜め上方向）にスライドしたことが示される。
【００７１】
図１の矢印ホとは逆の矢印へ方向（右斜め上方向）に操作部１４が押し込まれ、矢印へ方向にスライダ８がスライドしたときは、図７に示す右上のスライド接点１６−１が左側・外ベース固定接点１５−４に接触し、これと同時に、左下のスライド接点１６−２が下側・外ベース固定接点１５−２に接触する。このとき、スライドコモン接点１６−Ｃは外ベース固定コモン接点１５−Ｃに接触するから、スライドブラシ１６を介して左側・外ベース固定接点１５−４および下側・外ベース固定接点１５−２が外ベース固定コモン接点１５−Ｃに導通する。またこのとき、外ベース固定コモン接点１５−Ｃは、ロータリー接点２０−Ｃを介して、内ベース固定接点２１−Ｃとこれに接続された信号出力端子とに導通し、更に、左側・外ベース固定接点１５−４は、ロータリー接点２０−４を介して、内ベース固定接点２１−４とこれに接続された信号出力端子とに導通し、更に、下側・外ベース固定接点１５−２も、ロータリー接点２０−２を介して、内ベース固定接点２１−２とこれに接続された信号出力端子とに導通しているから、この場合は、その２つの信号出力端子を通じて外部へ同時出力される２つの信号によって、矢印へ方向（右斜め上方向）にスライドしたことが示される。
【００７２】
図１のように矢印ト方向（左斜め上方向）に操作部１４が押し込まれ、矢印ト方向にスライダ８がスライドしたときは、図７に示す右上のスライド接点１６−１が左側・外ベース固定接点１５−４に接触し、これと同時に、左下のスライド接点１６−２が上側・外ベース固定接点１５−１に接触する。このとき、スライドコモン接点１６−Ｃは外ベース固定コモン接点１５−Ｃに接触するから、スライドブラシ１６を介して左側・外ベース固定接点１５−４および上側・外ベース固定接点１５−１が外ベース固定コモン接点１５−Ｃに導通する。またこのとき、外ベース固定コモン接点１５−Ｃは、ロータリー接点２０−Ｃを介して、内ベース固定接点２１−Ｃとこれに接続された信号出力端子とに導通し、更に、左側・外ベース固定接点１５−４は、ロータリー接点２０−４を介して、内ベース固定接点２１−４とこれに接続された信号出力端子とに導通し、更に、上側・外ベース固定接点１５−１も、ロータリー接点２０−１を介して、内ベース固定接点２１−１とこれに接続された信号出力端子とに導通しているから、この場合は、その２つの信号出力端子を通じて外部へ同時出力される２つの信号によって、矢印ト方向（左斜め上方向）にスライドしたことが示される。
【００７３】
図１の矢印トとは逆の矢印チ方向（右斜め下方向）に操作部１４が押し込まれ、矢印へ方向にスライダ８がスライドしたときは、右上のスライド接点１６−１が右側・外ベース固定接点１５−３に接触し、これと同時に、左下のスライド接点１６−２が下側・外ベース固定接点１５−２に接触する。このとき、スライドコモン接点１６−Ｃは外ベース固定コモン接点１５−Ｃに接触するから、スライドブラシ１６を介して右側・外ベース固定接点１５−３および下側・外ベース固定接点１５−２が外ベース固定コモン接点１５−Ｃに導通する。またこのとき、外ベース固定コモン接点１５−Ｃ、ロータリー接点２０−Ｃを介して、内ベース固定接点２１−Ｃとこれに接続された信号出力端子とに導通し、更に、右側・外ベース固定接点１５−３は、ロータリー接点２０−３を介して、内ベース固定接点２１−３とこれに接続された信号出力端子とに導通し、また、下側・外ベース固定接点１５−１も、ロータリー接点２０−１を介して、内ベース固定接点２１−１とこれに接続された信号出力端子とに導通しているから、この場合は、その２つの信号出力端子を通じて外部へ同時出力される２つの信号によって、矢印チ方向（右斜め下方向）にスライドしたことが示される。
【００７４】
＜ジョグシャトルスライドスイッチとしての動作＞
外ベース２が中立の定位置に位置する場合には、計７つのロータリー接点２０−１〜２０−４、２０−Ｃ、２０−ＲＣ、２０−Ｆのうち、回転シャトルスイッチ用のロータリー接点を構成するロータリー切換接点２０−Ｆは、いずれの内ベース固定接点にも接触しないが、このロータリー切換接点２０−Ｆ以外の６つのロータリー接点、すなわち回転シャトルスイッチ用のロータリー接点を構成するロータリーコモン接点２０−ＲＣと多方向スイッチ用のロータリー接点を構成する５つのロータリー接点２０−Ｃ、２０−１〜２０−４は、いずれも、それぞれ対応する内ベース固定接点に常時接触する。
【００７５】
前記のように外ベース２が中立の定位置にある状態において、指等で操作部１４をその軸心回りに回転させるような操作が行なわれることで、例えば、図３のように操作部１４に対してその軸心右回り（矢印Ｒ方向）に回転させるトルクが作用したときは、当該トルクがスライダ８と格子状ガイド部品等からなるガイド手段とを介して外ベース２に伝達される。そうすると、図７に示すトーションスプリング２７の付勢力に逆らって、外ベース２とロータリーブラシ２０とが一体に前記中立の定位置から前記操作部１４の回転方向に回転移動する。これにより、左右一対の内ベース固定接点２１−Ｌ、２１−Ｒのうち、ロータリー切換接点２０−Ｆの回転進行方向に位置する内ベース固定接点、すなわち右・内ベース固定接点２１−Ｒにロータリー切換接点２０−Ｆが接触する。このとき、ロータリーコモン接点２０−ＲＣはこれに対応する内ベース固定接点、すなわち回転シャトルスイッチコモン用・内ベース固定接点２１−ＲＣに接触しているから、ロータリー切換接点２０−Ｆおよびロータリーコモン接点２０−ＲＣを介して、右・内ベース固定接点２１−Ｒと回転シャトルスイッチコモン用・内ベース固定接点２１−ＲＣとが導通するので、この場合は、操作部１４が右回りに回転したことを示す信号が右・内ベース固定接点２１−Ｒからこれに接続されている信号出力端子を通じて外部へ出力される。
【００７６】
前記説明とは逆に、操作部１４に対してその軸心左回りに回転させるトルクが作用したときは、外ベース２とロータリーブラシ２０とが一体に左回りに回転することにより、ロータリー切換接点２０−Ｆが左・内ベース固定接点２１−Ｌに接触する。このとき、ロータリーコモン接点２０−ＲＣは回転シャトルスイッチコモン用・内ベース固定接点２１−ＲＣに接触している、従って、ロータリー切換接点２０−Ｆおよびロータリーコモン接点２０−ＲＣを介して、左・内ベース固定接点２１−Ｌと回転シャトルスイッチコモン用・内ベース固定接点２１−ＲＣとが導通するので、この場合は、操作部１４が左回りに回転したことを示す信号が左・内ベース固定接点２１−Ｌからこれに接続されている信号出力端子を通じて外部へ出力される。
【００７７】
また、以上のように操作部１４を左右いずれか一方の方向に回転させたときは、多方向スイッチ用のロータリー接点を構成する５つのロータリー接点のうち、外ベース固定コモン接点１５−Ｃに導通しているロータリー接点２０−Ｃが、多方向スイッチコモン用・内ベース固定接点２１−Ｃから外れて非接触の状態となる。このため、操作部１４の回転操作時に多方向スイッチが作動することはない。もし複合スイッチ操作者が操作部１４を回転させようとする操作と一緒に誤って操作部１４を押し込んでしまったとしても、その回転に基づく信号しか出力されず、誤った押し込み動作に基づく信号、すなわち、上述した矢印イ方向などにスライドしたことを示す信号が出力されることはなく、誤操作に基づく誤信号の出力は防止される。
【００７８】
以上の説明から明らかなように、前記実施形態の複合スイッチは、一つの操作部１４を横方向に押し込む、若しくはその軸心回りに回転させる操作で、押し込み方向にスライドするスライダ８のスライド方向に応じた接触状態が得られる多方向スイッチとして機能するとともに、その回転方向に応じた接触状態が得られる回転シャトルスイッチとしても機能するから、スイッチ設置パネル面、例えば車輌のダッシュボード前面に平面的に配置されるスイッチ操作部の数を減らすことができ、スイッチ操作性の向上と、スイッチ設置パネル面のシンプル化を図ることができる。
【００７９】
また、前記実施形態の複合スイッチは、操作部１４に対しその軸心回りに回転させるトルクが作用したときは、そのトルクがスライダ８と格子状ガイド部品１２等からなるガイド手段とを介して外ベース２に伝わり、これによりトーションスプリング２７の付勢力に逆らって、外ベース２、スライダ８、操作部１４が一緒に中立の定位置から前記操作部１４の回転方向に回転移動する構造だから、操作部１４を回転させても、スライダ８やそのガイド手段に無理な回転力が作用することはなく、スライダ８やそのガイド手段等の破損による多方向スイッチとしての機能障害を効果的に防止することもできる。
【００８０】
前記実施形態においては、８つの異なる導通状態が得られる多方向スイッチＳ１を採用した例について説明したが、これに限定されることはない。かかる多方向スイッチＳ１については、その外ベース固定接点パターン１５等を適宜変更することにより、８つ以上の異なる接触状態を得るように構成してもよい。
【図面の簡単な説明】
【００８１】
【図１】図１は、本発明の一実施形態である複合スイッチの外観図であり、図中（ａ）は複合スイッチの正面図、（ｂ）は複合スイッチの平面図である。
【図２】図２は、図１の複合スイッチを構成する操作部の操作方向の説明図であり、図中（ａ）は図１の複合スイッチが多方向スイッチとして機能するときの操作部の押し込み方向の説明図、（ｂ）は（ａ）中の矢印ホ方向に操作部を押し込んだときの動作説明図、（ｃ）は（ａ）中の矢印ハ方向に操作部を押し込んだときの動作説明図である。
【図３】図３は、図１の複合スイッチを構成する操作部の操作方向の説明図であり、図中（ａ）は図１の複合スイッチが回転シャトルスイッチとして機能するときの操作部の回転方向の説明図、（ｂ）は（ｄ）中の矢印Ｌ方向に操作部を回転させたときの動作説明図である。
【図４】図４は図１のＡ−Ａ線断面図。
【図５】図５は図１のＢ−Ｂ線断面図。
【図６】図６は図４または図５のＡ−Ａ線断面図。
【図７】図７は図４または図５のＢ−Ｂ線断面図。
【図８】図８は図４または図５のＣ−Ｃ線断面図。
【図９】図９は、図１の複合スイッチを構成する内ベースの説明図であり、図中（ａ）は内ベースの正面図、（ｂ）は内ベースの平面図、（ｃ）は内ベースの側面図、（ｄ）は内ベースの裏面図、（ｅ）はＡ−Ａ線断面図である。
【図１０】図１０は、図１の複合スイッチを構成する外ベースの説明図であり、図中（ａ）は外ベースの正面図、（ｂ）は外ベースの平面図、（ｃ）は外ベースの側面図、（ｄ）は外ベースの裏面図、（ｅ）はＡ−Ａ線断面図、（ｆ）はＢ−Ｂ線断面図である。
【図１１】図１１は、図１の複合スイッチを構成するスライダの説明図であり、図中（ａ）はスライダの正面図、（ｂ）はスライダの平面図、（ｃ）はスライダの側面図、（ｄ）はスライダの裏面図、（ｅ）はＡ−Ａ線断面図、（ｆ）はＢ−Ｂ線断面図である。
【図１２】図１２は、図１の複合スイッチを構成する格子状ガイド部品の説明図であり、図中（ａ）はガイド部品の正面図、（ｂ）はガイド部品の平面図、（ｃ）はガイド部品の側面図、（ｄ）はガイド部品の裏面図である。
【図１３】図１３は、図１の複合スイッチを構成する操作部の説明図であり、図中（ａ）は操作部の平面図、（ｂ）は操作部の側面図、（ｃ）は操作部の裏面図、（ｄ）はＡ−Ａ線断面図である。
【図１４】図１４は、図１の複合スイッチを構成する外ベース固定接点パターンとロータリーブラシの説明図であり、図中（ａ）は外ベース固定接点パターンとロータリーブラシの正面図、（ｂ）は外ベース固定接点パターンとロータリーブラシの平面図である。
【図１５】図１５は、図１の複合スイッチを構成するスライドブラシの説明図であり、図中（ａ）はスライドブラシの平面図、（ｂ）はスライドブラシの側面図である。
【図１６】図１６は、図１の複合スイッチを構成する内ベース固定接点パターンの平面図である。
【図１７】図１７は、図１の複合スイッチを構成するトップケースの説明図であり、図中（ａ）はトップケースの正面図、（ｂ）はトップケースの平面図、（ｃ）はトップケースの側面図、（ｄ）はトップケースの裏面図、（ｅ）はＡ−Ａ線断面図である。
【符号の説明】
【００８２】
１  外ベース
２  内ベース
３  環状ベース受け溝
４  穴
５  横溝
６  穴
７  ボス部
８  スライダ
９  縦溝
１０  穴
１１  突起片
１２  格子状ガイド部品
１２−１  縦バー
１２−２  横バー
１３  金属芯
１４  操作部
１５  外ベース固定接点パターン
１５−Ｃ  外ベース固定コモン接点
１５−１、１５−２、１５−３、１５−４  外ベース固定接点
１６  スライドブラシ
１６−Ｃ  スライドコモン接点
１６−１、１６−２、１６−３  スライド接点
１６−Ｆ  支持枠
１７  ピン
１８  ピン穴
１９  枠収容溝
２０  ロータリーブラシ
２０−１〜２０−４、２０−Ｃ  ロータリー接点
２０−ＲＣ  ロータリーコモン接点
２０−Ｆ  ロータリー切換接点
２１  内ベース固定接点パターン
２１−Ｒ、２１−Ｌ、２１−ＲＣ、２１−Ｃ、２１−１〜２１−４  内ベース固定接点
２２  トップケース
２３  穴
２４  係合爪
２５  バネ固定突起
２６  密着コイルスプリング
２７  トーションスプリング
２８−Ｌ、２８−Ｒ  バネ係止め部
２９−Ｌ、２９−Ｒ  押圧片
３０  掌載置台
３１  固定軸
【図１】
2007035378.tif 000003
【図２】
2007035378.tif 000004
【図３】
2007035378.tif 000005
【図４】
2007035378.tif 000006
【図５】
2007035378.tif 000007
【図６】
2007035378.tif 000008
【図７】
2007035378.tif 000009
【図８】
2007035378.tif 000010
【図９】
2007035378.tif 000011
【図１０】
2007035378.tif 000012
【図１１】
2007035378.tif 000013
【図１２】
2007035378.tif 000014
【図１３】
2007035378.tif 000015
【図１４】
2007035378.tif 000016
【図１５】
2007035378.tif 000017
【図１６】
2007035378.tif 000018
【図１７】
2007035378.tif 000019